(57)【要約】      （修正有）【課題】水又は液体の侵入を防止することができ、音の完全な音質を保留することができるだけでなく、更に、内外耳道の圧力、湿気、温度を均衡させ、人の耳の快適な装着に適合し、イヤホン又はカナル式耳栓部となる防水カバー体構造を提供する。【解決手段】防水カバー体構造１００は、弾性カバー体１０と、弾性カバー体１０の第２開口１２内に水密に結合するアレイマイクロチャネルユニット２０と、を含み、アレイマイクロチャネルユニット２０内に複数のマイクロチャネル３０を形成する。この構成により、アレイマイクロチャネル３０を有する防水カバー体構造１００は、イヤホンのイヤーピースを覆い、人の耳に快適に装着できるだけではなく、更に、アレイマイクロチャネルユニット２０の形成によって、防水を達成することができ、耳道内外の圧力、温度、湿度を均衡させ、音質を損なうことがない等の効果を有する。【選択図】図２
0003201758.tif 000002
【実用新案登録請求の範囲】
【請求項１】
第１開口と第２開口を有する弾性カバー体と、
該第２開口内に水密に結合し、第１端部と第２端部を有するアレイマイクロチャネルユニットと、を含み、
該アレイマイクロチャネルユニット内に複数のマイクロチャネルを形成し、
そのうち、各該マイクロチャネルが何れも該第１端部と該第２端部を貫通し、且つ各該マイクロチャネルの孔径の大きさが何れも該マイクロチャネルに水分子の通過を受けさせないものであるアレイマイクロチャネルを有する防水カバー体構造。
【請求項２】
前記弾性カバー体の材質は、ゴム、シリコーン、プラスチック、防水メッシュ、又はその他の高分子材質である請求項１に記載の防水カバー体構造。
【請求項３】
前記アレイマイクロチャネルユニットは、該第２開口内に一体成型される請求項１に記載の防水カバー体構造。
【請求項４】
前記アレイマイクロチャネルユニットは、該第２開口内に嵌合設置される請求項１に記載の防水カバー体構造。
【請求項５】
前記第１開口は、該第２開口より大きく且つ該第２開口は、管状構造である請求項１に記載の防水カバー体構造。
【請求項６】
前記第２開口は、カップ体を延伸形成し、該管状構造を該カップ体の中央部位に形成させる請求項５に記載の防水カバー体構造。
【請求項７】
前記弾性カバー体は、管体であり、該第２開口は、カップ体を延伸形成し、該管体を該カップ体の中央部位に形成させる請求項１に記載の防水カバー体構造。
【請求項８】
前記マイクロチャネル内に少なくとも１つの凸点、少なくとも１つの凸縁又は少なくとも１つの凸環を形成する請求項１に記載の防水カバー体構造。
【請求項９】
前記マイクロチャネルの直径は、０．１ｍｍ〜０．６ｍｍの間である請求項１に記載の防水カバー体構造。
【請求項１０】
前記マイクロチャネルの長さは、１ｍｍ〜５ｍｍの間である請求項１に記載の防水カバー体構造。
【考案の詳細な説明】
【技術分野】
【０００１】
本考案は、防水カバー体構造に関し、特に、防水であり、音質を損なわず、耳道内外の圧力、温度、湿度を均衡させることができるアレイマイクロチャネルを有する防水カバー体構造に関する。
【背景技術】
【０００２】
液体（水も液体である）は、何れも表面張力を有し、その分子の凝集力は、表面張力を形成する原因である。液体内部の各分子が何れも各方向に近隣分子の吸引力又は反発力を受け、従って、液体内部の分子が受ける分子力の合力が０になる。
【０００３】
しかしながら、液体と気体の境界面の液体分子は、各方向に受ける吸引力又は反発力が均衡せず、従って、液体表面層中の分子が液体内部へ指向する吸引力を受けるようになり、且つ表面層中の分子が液体内部へ「引っ張られ」、液体表面の表面積を縮小させ、これが表面張力現象である。
【０００４】
図１に示すように、それは、表面張力と管径の大きさの関係であり、管体の管径が小さいほど、その表面張力現象が発生する作用は、顕著になり、管径が順に小から大となる第１管体４１０、第２管体４２０、第３管体４３０が、その一端を液体３００中に入れる時、管径が大きくなるに従って、表面張力の作用が小さくなり、液体３００が管体に侵入する程度が増加する。
【０００５】
イヤホンの応用方面において、現有の市場におけるイヤホン又は補聴器の耳栓部は、何れも防水機能を有さず、液体又は水の浸漬又はスプラッシュに遭う場合、損壊を招きやすく、更には、使用者の耳内に侵入し、使用者の耳内の不快感又は損傷を招きやすくなる。
【先行技術文献】
【特許文献】
【０００６】
【特許文献１】特開２０１５−１２３１０号公報
【考案の概要】
【考案が解決しようとする課題】
【０００７】
これに鑑み、イヤホン又は補聴器の耳栓部において、表面張力の原理を十分に利用した防水カバー体構造を設計し、水又は液体の侵入を防止することができ、音の完全な音質を保留することができるだけでなく、更に、内外耳道の圧力、湿気、温度を均衡させ、人の耳の快適な装着に適合し、イヤホン又はカナル式耳栓部となり、更には、産業に広く応用されるようにすることは、１つの重要な発展とイノベーションの課題となっている。
【課題を解決するための手段】
【０００８】
本考案のイヤホン又は補聴器の耳栓部におけるアレイマイクロチャネルを有する防水カバー体構造は、弾性カバー体と、弾性カバーの第２開口に水密に結合し、且つ複数のマイクロチャネルを形成するアレイマイクロチャネルユニットと、を含む。本考案の実施により、アレイマイクロチャネルを有する防水カバー体構造は、イヤホンのイヤーピースを覆うことができ、人の耳に快適に装着でき、更に、アレイマイクロチャネルユニットの形成によって、防水であり、耳道内外の圧力、温度、湿度を均衡させ、音質を損なわないという効果を達成することができる。
【０００９】
本考案が提供するイヤホン又は補聴器の耳栓部におけるアレイマイクロチャネルを有する防水カバー体構造は、第１開口と第２開口を有する弾性カバー体と、第２開口内に水密に結合し、第１端部と第２端部を有するアレイマイクロチャネルユニットと、を含み、アレイマイクロチャネルユニット内に複数のマイクロチャネルを形成し、そのうち、各マイクロチャネルが何れも第１端部と第２端部を貫通し、且つ各マイクロチャネルの孔径の大きさが何れもマイクロチャネルに水分子の通過を受けさせないものである。
【考案の効果】
【００１０】
本考案の実施により、イヤホン又は補聴器の耳栓部におけるアレイマイクロチャネルを有する防水カバー体構造は、少なくとも以下の進歩的効果を達成することができる。
一、製造コストが低く、イヤホンのイヤーピースを覆い、人の耳に快適に装着できる。
二、防水能力がある。
三、耳道内外の圧力、温度、湿度を均衡させることができる。
四、音質を損なうことがなく、完全な音質を保留する。
【図面の簡単な説明】
【００１１】
【図１】管径と水の表面張力の関係の説明図である。
【図２】本考案の実施例のアレイマイクロチャネルを有する防水カバー体構造の断面説明図である。
【図３Ａ】本考案の実施例のアレイマイクロチャネルユニットとマイクロチャネルの立体説明図である。
【図３Ｂ】本考案の実施例のアレイマイクロチャネルユニットの側面説明図である。
【図４Ａ】本考案の実施例のアレイマイクロチャネルを有する防水カバー体構造をイヤホンに結合した立体説明図である。
【図４Ｂ】本考案の実施例のもう１つのアレイマイクロチャネルを有する防水カバー体構造をイヤホンに結合した立体説明図である。
【図５Ａ】本考案の実施例のカップ体とアレイマイクロチャネルユニットを一体成型したアレイマイクロチャネルを有する防水カバー体構造の断面説明図である。
【図５Ｂ】本考案の実施例のカップ体とアレイマイクロチャネルユニットを一体成型したアレイマイクロチャネルを有する防水カバー体構造の立体説明図である。
【図５Ｃ】本考案の実施例のもう１つのカップ体とアレイマイクロチャネルユニットを一体成型したアレイマイクロチャネルを有する防水カバー体構造の断面説明図である。
【図５Ｄ】本考案の実施例のもう１つのカップ体とアレイマイクロチャネルユニットを一体成型したアレイマイクロチャネルを有する防水カバー体構造の立体説明図である。
【図６Ａ】本考案の実施例のカップ体と嵌合されたアレイマイクロチャネルユニットを有するアレイマイクロチャネルを有する防水カバー体構造の断面説明図である。
【図６Ｂ】本考案の実施例のカップ体と嵌合されたアレイマイクロチャネルユニットを有するアレイマイクロチャネルを有する防水カバー体構造の立体説明図である。
【図６Ｃ】本考案の実施例のもう１つのカップ体と嵌合されたアレイマイクロチャネルユニットを有するアレイマイクロチャネルを有する防水カバー体構造の断面説明図である。
【図６Ｄ】本考案の実施例のもう１つのカップ体と嵌合されたアレイマイクロチャネルユニットを有するアレイマイクロチャネルを有する防水カバー体構造の立体説明図である。
【図７】本考案の実施例のアレイマイクロチャネルユニット及びアレイマイクロチャネルの防水説明図である。
【図８】本考案の実施例のアレイマイクロチャネルを有する防水カバー構造の防水説明図である。
【図９Ａ】本考案の実施例の凸点を有するマイクロチャネルの防水説明図である。
【図９Ｂ】本考案の実施例の凸縁を有するマイクロチャネルの防水説明図である。
【図９Ｃ】本考案の実施例の凸環を有するマイクロチャネルの防水説明図である。
【図１０】本考案の実施例のシリコーンで形成されるマイクロチャネルを有する防水カバー体構造と従来のメッシュイヤホンカバーの音声周波数応答曲線図である。
【考案を実施するための形態】
【００１２】
当業者が本考案の技術内容を理解して実施の根拠することができ、且つ本明細書の開示内容、特許請求の範囲、図面に基づいて、本考案の関連する目的、利点を容易に理解できるようにする為、実施方式中に本考案の詳細な特徴と利点を説明する。
【００１３】
本考案の構造、使用及び特徴を更に明確、詳細に認識、理解するため、好適実施例を挙げ、以下に詳細に説明する。
【００１４】
図２を参照し、本実施例のイヤホン又は補聴器の耳栓部におけるアレイマイクロチャネルを有する防水カバー体構造はアレイマイクロチャネルを有する防水カバー体構造１００は、弾性カバー体１０と、アレイマイクロチャネルユニット２０と、アレイマイクロチャネルユニット２０内に形成される複数のマイクロチャネル３０と、を含む。
【００１５】
図２及び図４Ａに示すように、弾性カバー体１０は、第１開口１１と第２開口１２を有する。弾性カバー体１０は、イヤホンの耳栓部２００の一部分を覆うことに用いられ、耳栓部２００は、第１開口１１により弾性カバー体１０の部分的被覆又は全部の被覆を受けることができる。
【００１６】
弾性カバー体１０の材質は、防水の材質、例えば、ゴム、シリコーン、プラスチック、防水メッシュ、又はその他の高分子材質を選択することができる。
【００１７】
図２に示すように、アレイマイクロチャネルユニット２０は、弾性カバー体１０の第２開口１２内に水密に結合され、アレイマイクロチャネルユニット２０は、第１端部２１及び第２端部２２を有する。
【００１８】
図４Ａに示すように、アレイマイクロチャネルユニット２０は、一体成型方式で第２開口１２内に水密に結合することができ、この種のアレイマイクロチャネル３０を有する防水カバー体構造１００は、一体式防水構造と称することができる。
【００１９】
または、図４Ｂに示すように、アレイマイクロチャネルユニット２０は、嵌合方式で第２開口１２内に水密に結合することができ、この種のアレイマイクロチャネル３０を有する防水カバー体構造１００は、二体式防水構造と称することができる。
【００２０】
図２〜図４Ｂに示すように、アレイマイクロチャネルユニット２０内に複数のマイクロチャネル３０を形成し、各マイクロチャネル３０が何れも第１端部２１から第２端部２２まで貫通し、且つ各マイクロチャネル３０の孔径の大きさは、何れもマイクロチャネル３０に表面張力の作用により水分子の通過を受けないようにする。
【００２１】
水分子の表面張力に明確且つ有効な作用を発生させるため、マイクロチャネル３０の大きさは、直径が０．１ｍｍ〜０．６ｍｍの間であり、長さが１ｍｍ〜５ｍｍの間である。
【００２２】
一方で、アレイマイクロチャネルユニット２０内に形成する複数のマイクロチャネル３０の配列方式は、特殊な限定はなく、アレイ式配列、マトリクス式配列、円形分布配列、方形分布配列、三角形分布配列、楕円形分布配列、又は不規則な分布の配列であることができる。
【００２３】
図４Ａ及び図４Ｂに示すようなアレイマイクロチャネル(３０)を有する防水カバー体構造１００は、一体成型耳栓部式の防水構造の実施例であり、その弾性カバー体１０の第１開口１１は、第２開口１２より大きく、且つ第２開口１２は、管状構造である。
【００２４】
図５Ａ〜図５Ｄに示すように、弾性カバー体１０の第２開口１２は、カップ体４０を延伸形成することができ、その形成方式は、管状構造の第２開口１２をカップ体４０の中央部位に形成させる。この種のアレイマイクロチャネル(３０)を有する防水カバー体構造１００は、一体成型カナル式の防水構造である。
【００２５】
続いて、図６Ａ〜図６Ｄに示すように、アレイマイクロチャネルユニット２０は、嵌合方式で第２開口１２内に水密に結合する以外に、弾性カバー体１０の第２開口１２もカップ体４０を延伸形成することもでき、管状構造の第２開口１２をカップ体４０の中央部位に形成させる。この種のアレイマイクロチャネル(３０)を有する防水カバー体構造１００は、二体式のカナル式防水構造と称される。
【００２６】
前記各実施例において、図５Ａ及び図６Ａに示すように、弾性カバー体１０の第１開口１１は、第２開口１２より大きい。図５Ｃ及び図６Ｃに示すように、弾性カバー体１０は、管体であり、その第１開口１１は、第２開口１２と同じ大きさである。
【００２７】
図２〜図６Ｄ、図７及び図８に示すように、イヤホン又は補聴器の耳栓部におけるマイクロチャネル３０は、適当な直径及び長さを選択した状態で、表面張力の作用により液体３００がマイクロチャネル３０を通過させることができなくすることができ、これにより、アレイマイクロチャネルを有する防水カバー体構造１００に防水又は液体３００の侵入を防止する効果を達成し、その防水能力は、ＩＰＸ７のレベルに達することができ、即ち、１ｍ以内の深さの水中に３０分間、入れておくこともできる。
【００２８】
更に、図９Ａ〜図９Ｃに示すように、マイクロチャネル３０の水又は液体の通過を阻止する能力を向上させるため、マイクロチャネル３０の表面上に少なくとも１つの凸点５０、少なくとも１つの凸縁６０又は少なくとも１つの凸環７０を形成することができる。
【００２９】
図１０を参照し、応答曲線９１及び応答曲線９２は、それぞれシリコーンを使用して形成するアレイマイクロチャネルを有する防水カバー体構造１００と、市場でよくある防水メッシュイヤホンカバーの音声周波数についての応答曲線である。この実測結果により、アレイマイクロチャネルを有する防水カバー体構造１００が確かに完全な音質を保留することができ、音質を損なわないことが分かる。
【００３０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３１】
１００  アレイマイクロチャネルを有する防水カバー体構造
１０  弾性カバー体
１１  第１開口
１２  第２開口
２０  アレイマイクロチャネルユニット
２１  第１端部
２２  第２端部
３０  マイクロチャネル
４０  カップ体
５０  凸点
６０  凸縁
７０  凸環
９１  応答曲線
９２  応答曲線
２００  耳栓部
３００  液体
４１０  第１管体
４２０  第２管体
４３０  第３管体
【図１】
0003201758.tif 000003
【図２】
0003201758.tif 000004
【図３Ａ】
0003201758.tif 000005
【図３Ｂ】
0003201758.tif 000006
【図４Ａ】
0003201758.tif 000007
【図４Ｂ】
0003201758.tif 000008
【図５Ａ】
0003201758.tif 000009
【図５Ｂ】
0003201758.tif 000010
【図５Ｃ】
0003201758.tif 000011
【図５Ｄ】
0003201758.tif 000012
【図６Ａ】
0003201758.tif 000013
【図６Ｂ】
0003201758.tif 000014
【図６Ｃ】
0003201758.tif 000015
【図６Ｄ】
0003201758.tif 000016
【図７】
0003201758.tif 000017
【図８】
0003201758.tif 000018
【図９Ａ】
0003201758.tif 000019
【図９Ｂ】
0003201758.tif 000020
【図９Ｃ】
0003201758.tif 000021
【図１０】
0003201758.tif 000022